(57)【特許請求の範囲】
【請求項１】
電子機器の接続用開口部に挿脱可能に装着されるトレーであって、当該トレーは、トレー本体と、当該トレー本体の両側面から挿入方向に各々延出する第１のアーム及び第２のアームと、を有し、３．５インチハードディスクドライブが、前記第１及び第２のアームの各々の内側面に当該３．５インチハードディスクドライブの各側面を接触させつつ前記第１及び第２のアームに取り付けられる、トレーに装着されるハードディスクドライブ用マウンタであって、
２．５インチハードディスクドライブが載置されて取り付けられる載置面を有する載置部と、
前記挿入方向に平行な前記載置部の第１の縁から略垂直方向に突出し、前記第１のアームの内側面に取り付けられる第１の側面と、
前記第１の縁と対向する前記載置部の第２の縁から略垂直方向に突出し、前記第２のアームの内側面に取り付けられる第２の側面と、を有し、
前記第１の側面は、前記ハードディスクドライブ用マウンタが前記トレーに装着された際に、前記２．５インチハードディスクドライブがその一方の側面を前記第１のアームの内側面に接触させつつ前記載置面に取り付けられることを許容する領域で、前記載置部から突出し、
前記３．５インチハードディスクドライブの挿入方向端面に形成されたインターフェースコネクタの形状及び寸法は、前記２．５インチハードディスクドライブの挿入方向端面に形成されたインターフェースコネクタの形状及び寸法と同一であり、前記トレーに取り付けられた際に前記トレーに対する前記インターフェースコネクタの位置が相互に一致し、
前記２．５インチハードディスクドライブが前記トレーに取り付けられた際に、前記２．５インチハードディスクドライブの他方の側面と前記第２の側面との間、及び、前記挿入方向端面とは反対側の前記２．５インチハードディスクドライブの端面と前記トレー本体と間には空間が形成される、ハードディスクドライブ用マウンタ。
【請求項２】
前記載置部は、前記２．５インチハードディスクドライブが載置される領域に形成された貫通穴を備える、請求項１記載のハードディスクドライブ用マウンタ。
【請求項３】
前記載置部は、前記２．５インチハードディスクドライブに形成された螺子穴に連通するとともに当該螺子穴に螺合する螺子を通す皿穴をさらに備える、請求項１または２記載のハードディスクドライブ用マウンタ。
【発明の詳細な説明】
【技術分野】
【０００１】
本発明は、３．５インチＨＤＤの代替えとして、ホットスワップ用ＨＤＤケージに２．５インチＨＤＤを装着するために使用されるＨＤＤ用マウンタに関する。
【背景技術】
【０００２】
従来から、ホットスワップ用ＨＤＤとして使用される３．５インチＨＤＤを搭載したサーバは、通常、３．５インチＨＤＤ用トレーに３．５インチＨＤＤを取付け、このトレーをＨＤＤケージに装着して使用しているが、近年、３．５インチタイプのＨＤＤは、２．５インチタイプのＨＤＤへフォームファクタを移行しつつあり、ＨＤＤ市場では、遅くとも２０１１年には１００％移行されると予測されている。このように、３．５インチＨＤＤの市場流通が無くなった場合、ＨＤＤの増設や故障時の保守対応等で必要な３．５インチＨＤＤが入手できなくなる。
【０００３】
一方、固定ディスクとして３．５インチＨＤＤを３．５インチＨＤＤ用のスロットに固定して使用するサーバは、当該３．５インチＨＤＤ用のスロットに２．５インチＨＤＤを装着するための市販されているマウンタを使用して、２．５インチＨＤＤを３．５インチＨＤＤ用のスロットに装着することができるため、仮に３．５インチＨＤＤが入手できなくなっても、３．５インチＨＤＤの代わりに２．５インチＨＤＤを使用することができる。
【０００４】
また、外径形状が異なる複数種のＨＤＤカートリッジをＡＶ機器やＰＣ等電子機器に装着する際に、当該電子機器側に設けられたカートリッジ挿脱口が１カ所であっても、複数種のＨＤＤカートリッジに各々取付けたコネクタと、当該電子機器内に設けられたコネクタとが互換性を持って接続可能なＨＤＤカートリッジ装着用アダプタが紹介されている。（例えば、特許文献１及び２参照）。
【０００５】
そしてまた、３．５インチＨＤＤをカートリッジ筐体内に収納した３．５インチＨＤＤカートリッジと、当該３．５インチＨＤＤを収納したカートリッジ筐体と外形寸法が略同じに形成されたアダプタ筐体内に２．５インチＨＤＤまたは１．８インチＨＤＤを収納したカートリッジ装着用アダプタの両者を、電子機器のカートリッジ挿脱口に対し挿脱し、当該電子機器内に設けられたコネクタに対して互換性を持って着脱する際に、当該３．５インチＨＤＤカートリッジやカートリッジ装着用アダプタが、前記カートリッジ挿脱口から脱落することを防止するＨＤＤカートリッジ及びカートリッジ装着用アダプタも紹介されている。（例えば、特許文献３及び４参照）。
【先行技術文献】
【特許文献】
【０００６】
【特許文献１】特開２００８−１０８４０５号公報
【特許文献２】特開２００８−１１７４６５号公報
【特許文献３】特開２００８−３１０８６６号公報
【特許文献４】特開２００９−２０９３６号公報
【発明の概要】
【発明が解決しようとする課題】
【０００７】
ところで、前記従来の固定ディスクに使用されるマウンタに取付けられた２．５インチＨＤＤを、ＨＤＤ用トレーとＨＤＤケージを使用するホットスワップＨＤＤとして３．５インチＨＤＤの代わりに使用する場合、前記マウンタは、前記３．５インチＨＤＤ用トレーに取付けられて使用されることになる。しかしながら、このマウンタは、３．５インチＨＤＤ用トレーに取付けることを考慮したものではなく、３．５インチＨＤＤと２．５インチＨＤＤとのフォームファクタの差分を考慮した設計がなされていない。このため、当該マウンタに取付けられて３．５インチＨＤＤ用トレーに取付けられた２．５インチＨＤＤのインターフェースコネクタの物理的な位置が、当該３．５インチＨＤＤ用トレー取付けられた３．５インチＨＤＤのインターフェースコネクタの位置に合わず、ホットスワップＨＤＤとして、３．５インチＨＤＤの代わりに使用することができない。
【０００８】
また、特許文献１及び２に記載された発明は、外径形状が異なる複数種のＨＤＤカートリッジを電子機器に装着する際に使用する装着用アダプタに関するものであり、サイズの異なるＨＤＤを電子機器に装着した際に、当該ＨＤＤ自身に設けられている各々のインターフェースコネクタの物理的な位置を互いに一致させ、電子機器に設けられているコネクタに直接接続するものではない。
【０００９】
そしてまた、特許文献３及び４に記載された発明は、３．５インチＨＤＤカートリッジやカートリッジ装着用アダプタが、電子機器に設けられたカートリッジ挿脱口から脱落することを防止するＨＤＤカートリッジ及びカートリッジ装着用アダプタに関するものであり、サイズの異なるＨＤＤを電子機器に装着した際に、当該ＨＤＤ自身に設けられている各々のインターフェースコネクタの物理的な位置を互いに一致させ、電子機器に設けられているコネクタに直接接続するものではない。
【００１０】
本発明は、このような事情に鑑みなされたものであり、２．５インチＨＤＤが取付けられると共に、当該２．５インチＨＤＤを取付けた状態で３．５インチＨＤＤ用トレーに装着可能であり、当該取付けられた２．５インチＨＤＤのインターフェースコネクタの物理的な位置と、前記３．５インチＨＤＤ用トレーに取付けられた３．５インチＨＤＤのインターフェースコネクタの物理的な位置を互いに一致させることが可能なＨＤＤ用マウンタを提供することを目的とする。
【課題を解決するための手段】
【００１１】
この目的を達成するため本発明は、電子機器に形成された接続用開口部に挿脱可能に装着されると共に、トレー本体と、当該トレー本体の両側面から挿入方向に各々延出する第１のアーム及び第２のアームを有してなり、前記第１のアーム及び第２のアームの各々の内側面に、３．５インチＨＤＤの両側面を接触させ且つ当該３．５インチＨＤＤの基板面と当該第１のアーム及び第２のアームの当該基板面に平行な各々の端面とが同一平面上となるように取付けて、当該３．５インチＨＤＤの挿入方向端面に形成されたインターフェースコネクタを前記電子機器に内蔵されているコネクタに接続させるトレーに装着されるＨＤＤ用マウンタであって、２．５インチＨＤＤの基板面が載置される載置面を有する載置部と、前記載置部の前記挿入方向に平行な第１の縁から略垂直方向に突出し、前記第１のアームの内側面に取付けられる第１の側面と、前記載置部の第１の縁と対向する第２の縁から略垂直方向に突出し、前記第２のアームの内側面に取付けられる第２の側面と、を有し、前記第１の側面は、前記２．５インチＨＤＤの挿入方向端面の位置が、前記トレーに取付けられた３．５インチＨＤＤの挿入方向端面の位置と一致するよう当該２．５インチＨＤＤを前記載置部に配設した際に、前記第１のアームと対向する当該２．５インチＨＤＤの側面が、当該第１のアームの内側面に接触した状態で取付可能となる領域に形成されてなり、前記第１の側面及び第２の側面は、前記第１のアーム及び第２のアームの前記基板面に平行な各々の端面と、前記載置面とが同一平面上となるよう当該第１のアーム及び第２のアームに各々取付可能であるＨＤＤ用マウンタを提供するものである。
【００１２】
この構成を備えたＨＤＤ用マウンタは、２．５インチＨＤＤの挿入方向端面の位置（「Ｚ方向」の位置とする）が、前記トレーに取付けられた３．５インチＨＤＤの挿入方向端面の位置（Ｚ方向の位置）と一致するよう当該２．５インチＨＤＤを前記載置部に配設した際に、前記第１のアームと対向する当該２．５インチＨＤＤの側面が、当該第１のアームの内側面に接触した状態で取付可能となる領域に第１の側壁が形成されているため、ＨＤＤ用マウンタの板厚に関わらず、２．５インチＨＤＤの前記第１のアームと対向する側面の位置（「Ｘ方向」の位置とする）と、前記トレーに取付けられた３．５インチＨＤＤの前記第１のアームと対向する側面の位置（Ｘ方向の位置）とを一致させることができる。
【００１３】
さらにまた、本発明に係るＨＤＤ用マウンタは、前記第１のアーム及び第２のアームの前記基板面に平行な各々の端面と、前記載置面とが同一平面上となるよう前記トレーに取付けられるため、前記ＨＤＤ用マウンタの板厚に関わらず、当該ＨＤＤ用マウンタに取付けられた２．５インチＨＤＤの基板面の位置（「Ｙ方向」の位置とする）と、前記トレーに取付けられた３．５インチＨＤＤの基板面の位置（Ｙ方向の位置）とを一致させることができる。
【００１４】
したがって、本発明に係るＨＤＤ用マウンタを介して、前記トレーに取付けられた２．５インチＨＤＤのインターフェースコネクタの物理的な位置と、前記トレーに取付けられた３．５インチＨＤＤのインターフェースコネクタの物理的な位置を互いに一致させることができる。すなわち、３．５インチＨＤＤの代替えとして２．５インチＨＤＤを使用した際に、２．５インチＨＤＤの動作に悪影響が生じないように、３．５インチＨＤＤに対しフォームファクタの共通性を持たせることができ、前記電子機器のコネクタに対し、２．５インチＨＤＤのインターフェースコネクタの位置を接続交差の範囲内に位置させることができる。
【００１５】
なお、本発明では、前記載置面を基準として第１のアームから第２のアームに向けて前記挿入方向に対し垂直に進む方向を「Ｘ方向」とし、前記載置面に対し垂直な方向を「Ｙ方向」とし、前記挿入方向を「Ｚ方向」とする。
【００１６】
また、本発明に係るＨＤＤ用マウンタは、前記載置部の２．５インチＨＤＤが載置される領域に貫通穴を形成することができる。このように貫通穴を形成することで、２．５インチＨＤＤの基板面へのエアフローを確保することができる。
【００１７】
そしてまた、本発明に係るＨＤＤ用マウンタは、前記載置部に、前記２．５インチハードディスクドライブに形成された螺子穴に連通し且つ当該螺子穴に螺合する螺子が貫通する皿穴が形成されてなり、当該皿穴を介して前記螺子穴に螺子を螺合させることで、前記２．５インチハードディスクドライブの位置合せを行うことができる。
【発明の効果】
【００１８】
本発明によれば、前記３．５インチＨＤＤ用のトレーに当該ＨＤＤ用マウンタを介して取付けられた２．５インチＨＤＤのインターフェースコネクタの物理的な位置と、前記トレーに取付けられた３．５インチＨＤＤのインターフェースコネクタの物理的な位置を互いに一致させることができる。このため、仮に３．５インチＨＤＤの市場流通が無くなった場合であっても、２．５インチＨＤＤを、ホットスワップ用ＨＤＤとして、３．５インチＨＤＤの代わりに使用することができる。
【図面の簡単な説明】
【００１９】
【図１】図１は、本発明の実施形態に係るＨＤＤ用マウンタの斜視図である。
【図２】図２は、図１に示すＨＤＤ用マウンタの底面図である。
【図３】図３は、図１に示すＨＤＤ用マウンタの側面図である。
【図４】図４は、３．５インチＨＤＤ用トレーの斜視図である。
【図５】図５は、図４に示す３．５インチＨＤＤ用トレーに図１に示すＨＤＤ用マウンタを取付けた状態を示す斜視図である。
【図６】図６は、図４に示す３．５インチＨＤＤ用トレーに、図１に示すＨＤＤ用マウンタを介して２．５インチＨＤＤを取付けた状態を示す斜視図である。
【図７】図７は、図５に示すVII−VII線に沿った断面図である。
【図８】図８は、図４に示す３．５インチＨＤＤ用トレーに、図１に示すＨＤＤ用マウンタを介して２．５インチＨＤＤを取付けた状態を示す背面図である。
【図９】図９は、図４に示す３．５インチＨＤＤ用トレーに、図１に示すＨＤＤ用マウンタを介して２．５インチＨＤＤを取付けた状態を示す平面図である。
【図１０】図１０は、図４に示す３．５インチＨＤＤ用トレーに３．５インチＨＤＤを取付けた状態を示す斜視図である。
【図１１】図１１は、図４に示す３．５インチＨＤＤ用トレーに、図１に示すＨＤＤ用マウンタを介して取付けられた２．５インチＨＤＤのインターフェースコネクタが設けられている端面のＺ方向の位置と、図４に示す３．５インチＨＤＤ用トレーに取付けられた３．５インチＨＤＤのインターフェースコネクタが設けられている端面のＺ方向の位置を比較する底面図である。
【図１２】図１２は、図４に示す３．５インチＨＤＤ用トレーに、図１に示すＨＤＤ用マウンタを介して取付けられた２．５インチＨＤＤのインターフェースコネクタのＹ方向の位置と、図４に示す３．５インチＨＤＤ用トレーに取付けられた３．５インチＨＤＤのインターフェースコネクタのＹ方向の位置を比較する背面図である。
【図１３】図１３は、図４に示す３．５インチＨＤＤ用トレーに、図１に示すＨＤＤ用マウンタを介して取付けられた２．５インチＨＤＤのインターフェースコネクタのＸ方向の位置と、図４に示す３．５インチＨＤＤ用トレーに取付けられた３．５インチＨＤＤのインターフェースコネクタのＸ方向の位置を比較する背面図である。
【発明を実施するための形態】
【００２０】
次に、本発明の実施形態に係るＨＤＤ用マウンタについて図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。
【００２１】
図１は、本発明の実施形態に係るＨＤＤ用マウンタの斜視図、図２は、図１に示すＨＤＤ用マウンタの底面図、図３は、図１に示すＨＤＤ用マウンタの側面図、図４は、３．５インチＨＤＤ用トレーの斜視図、図５は、図４に示す３．５インチＨＤＤ用トレーに図１に示すＨＤＤ用マウンタを取付けた状態を示す斜視図、図６は、図４に示す３．５インチＨＤＤ用トレーに、図１に示すＨＤＤ用マウンタを介して２．５インチＨＤＤを取付けた状態を示す斜視図、図７は、図５に示すVII−VII線に沿った断面図、図８は、図４に示す３．５インチＨＤＤ用トレーに、図１に示すＨＤＤ用マウンタを介して２．５インチＨＤＤを取付けた状態を示す背面図、図９は、図４に示す３．５インチＨＤＤ用トレーに、図１に示すＨＤＤ用マウンタを介して２．５インチＨＤＤを取付けた状態を示す平面図である。なお、前記各図では、説明を判り易くするため、各部材の厚さやサイズ、拡大・縮小率等は、実際のものとは一致させずに記載した。
【００２２】
本発明に係るＨＤＤ用マウンタ１が取付けられる３．５インチ用トレー５０は、図示しない電子機器のホットスワップ用ＨＤＤケージに形成された接続用開口部に挿脱可能に装着されるものであり、図４等に示すように、トレー本体５１と、トレー本体５１の両側面から挿入方向（Ｚ方向）に各々延出する第１のアーム５２及び第２のアーム５３を有している。
【００２３】
トレー本体５１の抜脱方向（−Ｚ方向）側の端面には、トレー本体５１の第１のアーム５２及び第２のアーム５３が配設されている側面から突出した前面部５４が形成されている。この前面部５４は、３．５インチ用トレー５０が、３．５インチ用トレー５０がホットスワップ用ＨＤＤケージに形成された接続用開口部に装着された際に、当該接続用開口部を塞ぐ役割を果たしている。また、トレー本体５１の第１のアーム５２が延出する側面には、図７〜図９等に示すように、３．５インチ用トレー５０がホットスワップ用ＨＤＤケージに形成された接続用開口部に装着された際に、３．５インチ用トレー５０が不意に引き出されることを防止するためのストッパ５５が形成されている。
【００２４】
第１のアーム５２の外側面５２OUT（図７等参照）には、３．５インチ用トレー５０をホットスワップ用ＨＤＤケージに形成された接続用開口部に対し挿脱する際に、ホットスワップ用ＨＤＤケージに形成された図示しないレール部に係合し、前記挿脱をガイドするガイド部５６が、第１のアーム５２の延出方向（Ｚ方向）に沿って形成されている。このガイド部５６は、第１のアーム５２の延出方向先端からさらに延出されている。第１のアーム５２とガイド部５６には、互いに連通する螺子穴６２Ａ、６２Ｂ、６２Ｃが形成されている。これらの螺子穴６２Ａ、６２Ｂ、６２Ｃは、３．５インチ用トレー５０に３．５インチＨＤＤ２００を取付けた際に、第１のアーム５２の内側面５２INに対向する３．５インチＨＤＤ２００の側面２０２（図１０等参照）に形成されている図示しない螺子穴に各々連通する位置に形成されている。
【００２５】
第２のアーム５３の外側面５３OUTには、ガイド部５６と同様のガイド部５７が、第１のアーム５２の延出方向（Ｚ方向）に沿って形成されている。第２のアーム５３とガイド部５７には、互いに連通する螺子穴６３Ａ、６３Ｂ、６３Ｃが形成されている。これらの螺子穴６３Ａ、６３Ｂ、６３Ｃは、３．５インチ用トレー５０に３．５インチＨＤＤ２００を取付けた際に、第２のアーム５３の内側面５３INに対向する３．５インチＨＤＤ２００の側面２０３（図１０等参照）に形成されている図示しない螺子穴に各々連通する位置に形成されている。
【００２６】
なお、第１のアーム５２の内側面５２INと、第２のアーム５３の内側面５３INとの距離は、３．５インチＨＤＤ２００の側面２０２から側面２０３までの長さ（寸法）と一致している。また、螺子穴６２Ａ、６２Ｂ、６２Ｃ及び螺子穴６３Ａ、６３Ｂ、６３Ｃの形成位置は、３．５インチＨＤＤ２００が取付けられた際に、３．５インチＨＤＤ２００の基板面２０１（図１１参照）と、第１のアーム５２及び第２のアーム５３の基板面２０１に平行且つ基板面２０１側の各々の端面６４及び６５（図７等参照）とが、同一平面上となり、且つ、３．５インチ用トレー５０がホットスワップ用ＨＤＤケージに形成された接続用開口部に装着された際に、３．５インチＨＤＤ２００の挿入方向端面２０５に形成されているインターフェースコネクタ２１０（図１０等参照）が、ホットスワップ用ＨＤＤケージに設けられた図示しないコネクタに直接接続されるように決定される。
【００２７】
この構成を備えた３．５インチ用トレー５０は、第１のアーム５２と第２のアーム５３との間に３．５インチＨＤＤ２００を配設し、第１のアーム５２及び第２のアーム５３の各々の内側面５２IN及び５３INに、３．５インチＨＤＤ２００の側面２０２及び２０３を各々接触させ、側面２０２及び２０３に各々形成されている図示しない螺子穴と、螺子穴６２Ａ、６２Ｂ、６２Ｃ及び螺子穴６３Ａ、６３Ｂ、６３Ｃを各々連通させ、これらの螺子穴に螺子１５０（図１０参照）を各々螺合させることで、３．５インチＨＤＤ２００が取付けられる。この時、３．５インチ用トレー５０に取付けられた３．５インチＨＤＤ２００は、図１２等に示すように、基板面２０１が、第１のアーム５２の端面６４及び第２のアーム５３の端面６５と同一平面上に位置し、且つ、挿入方向端面２０５が、ホットスワップ用ＨＤＤケージに形成された接続用開口部に装着された際に、インターフェースコネクタ２１０が、ホットスワップ用ＨＤＤケージに設けられた図示しないコネクタに直接接続されるよう位置している。
【００２８】
ＨＤＤ用マウンタ１は、図１〜図３、図５等に示すように、２．５インチＨＤＤ１００（図６等参照）が載置される載置面１１を有する載置部１０と、載置部１０の挿入方向（Ｚ方向）に平行な第１の縁１２から略垂直方向（Ｙ方向）に突出し、第１のアーム５２の内側面５２INに取付けられる第１の側面１３と、載置部１０の第１の縁１２と対向する第２の縁１４から略垂直方向（Ｙ方向）に突出し、第２のアーム５３の内側面５３INに取付けられる第２の側面１５を有している。
【００２９】
載置部１０の載置面１１には、２．５インチＨＤＤ１００の基板面１０１（図８、図１１等参照）が載置される。載置部１０の２．５インチＨＤＤ１００が配置される領域内には、配置された２．５インチＨＤＤ１００の基板面１０１へのエアフローを確保する貫通穴２１が形成されている。また、載置部１０には、後に詳述する所定位置に２．５インチＨＤＤ１００を固定するための皿穴２２Ａ、２２Ｂ、２２Ｃ、２２Ｄが形成されている。これらの皿穴２２Ａ、２２Ｂ、２２Ｃ、２２Ｄは、２．５インチＨＤＤ１００の基板面１０１に開口されている図示しない螺子穴に連通し、当該螺子穴と、各々の皿穴２２Ａ、２２Ｂ、２２Ｃ、２２Ｄに固定用の螺子１６０（図１１参照）を貫通させ、これらの螺子穴と螺合させることで、２．５インチＨＤＤ１００を載置部１０に取付けると共に、２．５インチＨＤＤ１００を所定位置に位置合せさせる役割も果たしている。
【００３０】
第１の側面１３は、ＨＤＤ用マウンタ１を介して３．５インチ用トレー５０に２．５インチＨＤＤ１００を取付けた際に、この２．５インチＨＤＤ１００の挿入方向端面１０５の位置（Ｚ方向の位置）が、３．５インチ用トレー５０に取付けられた３．５インチＨＤＤ２００の挿入方向端面２０５の位置（Ｚ方向の位置）と一致し、且つ、２．５インチＨＤＤ１００の第１のアーム５２の内側面５２INと対向する側面１０２が、内側面５２INに接触した状態で取付可能となる領域に形成されている。即ち、第１の側面１３は、２．５インチＨＤＤ１００が取付けられた際に、２．５インチＨＤＤ１００が第１の側面１３と干渉しないように、挿入方向側が切欠かかれている。
【００３１】
また、第１の側面１３には、第１のアーム５２に形成されている螺子穴６２Ａに連通可能な螺子穴３２Ａが形成されている。この螺子穴３２Ａは、３．５インチ用トレー５０にＨＤＤ用マウンタ１を取付けた際に、載置面１１が、第１のアーム５２の端面６４及び第２のアーム５３の端面６５と同一平面上となる位置に形成されている。
【００３２】
第２の側面１５は、第２の縁１４に沿って第２の縁１４と同じ長さで形成されている。この第２の側面１５は、第２のアーム５３に形成されている螺子穴６３Ａ〜６３Ｃに各々連通可能な螺子穴３３Ａ〜３３Ｃが形成されている。これらの螺子穴３３Ａ〜３３Ｃは、載置面１１を基準として第２の側面１５の突出方向（Ｙ方向）の位置が、螺子穴３２Ａと同一位置となるよう形成されている。
【００３３】
第１の側面１３の外側面１３OUTから第２の側面１５の外側面１５OUTまでの距離Ｌ（図２等参照）は、３．５インチＨＤＤ２００の側面２０２から側面２０３までの長さＭ（図１０参照）と同一になっている。
【００３４】
なお、ＨＤＤ用マウンタ１は、板状の板金（例えば、挿入方向の長さが１３０ｍｍ、挿入方向に垂直な方向の長さ（幅）が１２７．６ｍｍ、厚さが１．２ｍｍのＳＵＳ）を使用し、幅方向の外寸（即ち、図２等に示す距離Ｌ）が、３．５インチＨＤＤ２００の側面２０２から側面２０３までの長さＭと同じ１０１．６ｍｍになるように第１の側面１３及び第２の側面１５部分を垂直に折り曲げることで製造することができる。なお、この場合、第１の側面１３及び第２の側面１５の高さＨ（図３参照）は、各々１３ｍｍとなる。また、第１の側面１３は、挿入方向の長さＮ（図３参照）が、３６ｍｍとなるように形成されている。さらにまた、第１のアーム５２及び第２のアーム５３に形成されている螺子穴６２Ａ及び６３Ａ〜６３Ｃに連通する螺子穴３２Ａ及び３３Ａ〜３３Ｃは、螺子穴６２Ａ及び６３Ａ〜６３Ｃが端面６４及び６５から６．３５ｍｍの位置に形成されているため、載置部１０の載置面１１と反対側の面を基準として、この６．３５ｍｍに前記板金の厚さ１．２ｍｍを加えた７．５５ｍｍの位置に形成した。
【００３５】
次に、本実施形態に係るＨＤＤ用マウンタ１の具体的動作について説明する。ＨＤＤ用マウンタ１に２．５インチＨＤＤ１００を取付けるには、先ず、載置面１１に２．５インチＨＤＤ１００の基板面１０１が接触するようにして載置し、２．５インチＨＤＤ１００の基板面１０１に開口されている図示しない螺子穴と、ＨＤＤ用マウンタ１に形成されている皿穴２２Ａ、２２Ｂ、２２Ｃ、２２Ｄとを各々連通させる。次に、皿穴２２Ａ、２２Ｂ、２２Ｃ、２２Ｄを介して、前記各々の螺子穴に螺子１６０を螺合させる。このようにすることで、２．５インチＨＤＤ１００をＨＤＤ用マウンタ１に位置合せさせた状態で取付けることができる。
【００３６】
次に、２．５インチＨＤＤ１００が取付けられたＨＤＤ用マウンタ１を３．５インチＨＤＤ用トレー５０に取付けるには、先ず、３．５インチＨＤＤ用トレー５０の第１のアーム５２と、第２のアーム５３との間に、第１の側面１３をトレー本体５１側にして位置させる。次に、螺子穴３２Ａを螺子穴６２Ａに、螺子穴３３Ａ〜３３Ｃを螺子穴６３Ａ〜６３Ｃに各々連通させ、螺子１５０を螺合させる。この時、ＨＤＤ用マウンタ１の載置面１１は、第１のアーム５２及び第２のアーム５３の各々の端面６４及び６５と同一平面上となる。即ち、図１２に波線ＰY1及びＰY2で示すように、２．５インチＨＤＤ１００のインターフェースコネクタ１１０のＹ方向の位置が、３．５インチＨＤＤ用トレー５０に取付けられている３．５インチＨＤＤ２００のインターフェースコネクタ２１０のＹ方向の位置が一致する。
【００３７】
また、２．５インチＨＤＤ１００の側面１０２が、第１のアーム５２の内側面５２INに接触する。即ち、図１３に波線ＰX1及びＰX2で示すように、２．５インチＨＤＤ１００のインターフェースコネクタ１１０のＸ方向の位置が、３．５インチＨＤＤ用トレー５０に取付けられている３．５インチＨＤＤ２００のインターフェースコネクタ２１０のＸ方向の位置が一致する。
【００３８】
そしてまた、図１１に波線ＰZで示すように、２．５インチＨＤＤ１００の挿入方向端面１０５の位置が、３．５インチＨＤＤ用トレー５０に取付けられている３．５インチＨＤＤ２００の挿入方向端面２０５の位置と一致する。
【００３９】
ここで、第１の側面１３が、２．５インチＨＤＤ１００が配設される領域まで形成されていると、２．５インチＨＤＤ１００を配設した際に、２．５インチＨＤＤ１００の側面１０２と、第１のアーム５２との間に第１の側面１３が介在してしまうことになり、２．５インチＨＤＤ１００は、第１の側面１３の厚さ分、第２のアーム５３側に位置することになる。即ち、２．５インチＨＤＤ１００がこの位置に配置された場合、３．５インチＨＤＤ用トレー５０に取付けられた３．５インチＨＤＤ２００のインターフェースコネクタ２１０のＸ方向の位置に対し、２．５インチＨＤＤ１００のインターフェースコネクタ１１０のＸ方向の位置が、第１の側面１３の厚さ分、第２のアーム５３側に位置することになる。したがって、２．５インチＨＤＤ１００のインターフェースコネクタ１１０をホットスワップ用ＨＤＤケージのコネクタに接続することができなくなる。
【００４０】
本実施形態に係るＨＤＤ用マウンタ１は、２．５インチＨＤＤ１００を配設した際に、２．５インチＨＤＤ１００の側面１０２と、第１のアーム５２との間に第１の側面１３が介在せず、側面１０２が第１のアーム５２の内側面５２INに接触した状態で、３．５インチＨＤＤ用トレー５０に取付けられる構成を有しているため、第１の側面１３の厚さに関わらず、インターフェースコネクタ１１０のＸ方向の位置をホットスワップ用ＨＤＤケージのコネクタの位置に合わせることができる。また、載置面１１と、第１のアーム５２の端面６４及び第２のアーム５３の端面６５が同一平面上にあるため、載置部１０の厚さに関わらず、インターフェースコネクタ１１０のＹ方向の位置をホットスワップ用ＨＤＤケージのコネクタの位置に合わせることができる。
【００４１】
なお、本実施形態では、ＨＤＤ用マウンタ１の材質強度を確保するため、ＨＤＤ用マウンタ１を１．２ｍｍ厚のＳＵＳから形成し、２．５インチＨＤＤ１００の振動を抑制するようにしたが、これに限らず、ＨＤＤ用マウンタ１は、所望により、他の種類の部材から構成してもよい。また、ＨＤＤ用マウンタ１の板厚（厚さ）は、所望により決定することができる。
【００４２】
また、本実施形態では、２．５インチＨＤＤ１００にエアフローを供給する目的で、貫通穴２１を開口した場合について説明したが、これに限らず、貫通穴２１は、必ずしも形成しなくてもよい。
【００４３】
そしてまた、本実施形態では、２．５インチＨＤＤ１００を螺子１６０によってＨＤＤ用マウンタ１に取付けた場合について説明したが、これに限らず、２．５インチＨＤＤ１００は他の固定部材によりＨＤＤ用マウンタ１に取付けてもよい。
【００４４】
さらにまた、本実施形態では、ＨＤＤ用マウンタ１を螺子１５０によって３．５インチＨＤＤ用トレー５０に取付けた場合について説明したが、これに限らず、ＨＤＤ用マウンタ１は他の固定部材により３．５インチＨＤＤ用トレー５０に取付けてもよい。
【符号の説明】
【００４５】
１…ＨＤＤ用マウンタ、  １０…載置部、  １１…載置面、  １３…第１の側面、  １５…第２の側面、  ２１…貫通穴、  ２２Ａ〜２２Ｄ…皿穴、  ３２Ａ、３３Ａ〜３３Ｃ…螺子穴、  ５０…３．５インチ用トレー、  ５２…第１のアーム、  ５３…第２のアーム、  １００…２．５インチＨＤＤ、  １０１、２０１…基板面、  １１０、２１０…インターフェースコネクタ、  ２００…３．５インチＨＤＤ
【図１】
0005574269.tif 000002
【図２】
0005574269.tif 000003
【図３】
0005574269.tif 000004
【図４】
0005574269.tif 000005
【図５】
0005574269.tif 000006
【図６】
0005574269.tif 000007
【図７】
0005574269.tif 000008
【図８】
0005574269.tif 000009
【図９】
0005574269.tif 000010
【図１０】
0005574269.tif 000011
【図１１】
0005574269.tif 000012
【図１２】
0005574269.tif 000013
【図１３】
0005574269.tif 000014